(57)【要約】【課題】把持が容易な箸を提供する。【解決手段】本発明の箸は、食べ物を挟む一側の端部に拡張把持部１０が形成されたことを特徴とする。このような構成によって、把持が容易になるので、外国人や子供、身体が不便な患者らも容易に使用することが出来る。また、どんぐりむっく(どんぐり粉で作ったゼリー状の食品)のような半流動物も容易に把持できるばかりでなく、一旦、把持された食べ物が容易に抜け出ないため、食べ物を安定的に把持することが出来るという効果がある。【選択図】図１
2005111262.tif 000002
【特許請求の範囲】
【請求項１】
食べ物を挟む一側端部に拡張把持部10が形成されたことを特徴とする把持が容易な箸。
【請求項２】
上記拡張把持部10の厚さT2は、箸本体部１の厚さと以下の関係を有することを特徴とする請求項１に記載の把持が容易な箸。
T3≦T2≦T1
T1：箸本体部の最大厚さ
T3：箸本体部の最少厚さ
【請求項３】
上記拡張把持部10の内側面11が、平坦に形成されたことを特徴とする請求項１または請求項２に記載の把持が容易な箸。
【請求項４】
上記拡張把持部10の内側面11が、凹んで形成されたことを特徴とする請求項１または請求項２に記載の把持が容易な箸。
【発明の詳細な説明】
【技術分野】
【０００１】
本発明は、箸に関するものであって、特に、一側端部に拡張把持部を形成して把持が容易な箸に関するものである。
【背景技術】
【０００２】
従来から、一般的に、箸は、二つが集まって1セットを成し、使用時二つの箸を各々動かして食べ物を挟むようになっている。
ところが、従来の箸は、食べ物を挟む一側端部の幅が小さく形成されているので、箸の使用が熟れていない子供や外国人、または身体が不便な老弱者や手せん症(痺れてしきりに手を震える症状)患者らには箸を使用して食べ物を挟むのに困難さがあった。
さらに、食べ物がどんぐりむっく(どんぐり粉で作ったゼリー状の食品)や、ゼリーのような半流動物である場合には、正常人であっても箸を利用して食べ物を挟むのが容易でないばかりでなく、一旦把持された食べ物もしばしば取り落とすといった短所があった。
【発明の開示】
【発明が解決しようとする課題】
【０００３】
本発明は、上記の問題点を解決するために案出されたものであって、食べ物を挟む一側端部に所定形状の拡張把持部を形成することにより、食べ物の把持をより容易にできる箸を提供することを目的とする。
【課題を解決するための手段】
【０００４】
上記課題を達成するために、本発明に係る把持が容易な箸は、食べ物を挟む一側端部に拡張把持部が形成されたことを特徴とする。
上記拡張把持部10の厚さT2は、箸本体部１の厚さと以下の関係を有するものとすればよい。T3≦T2≦T1、ここに、T1：箸本体部の最大厚さ、T3：箸本体部の最少厚さ
上記拡張把持部10の内側面11が、平坦に形成されたものとしてもよい。
上記拡張把持部10の内側面11が、凹んで形成されたものとしてもよい。
【発明の効果】
【０００５】
本発明の箸によれば、把持が容易であり、外国人や子供、身体が不便な患者らも容易に使用することができるという長所がある。さらに、どんぐりむっくのような半流動物も容易に把持できるばかりでなく、一旦把持された食べ物が容易に抜け出ないため、食べ物を安定的に把持することができるという効果がある。
【発明を実施するための最良の形態】
【０００６】
以下、本発明の実施形態に係るを図面を参照して説明する。
以下、添付図面を参照して、本発明の好ましい実施例について説明する。図１は、本発明による箸の一つの実施例を示した平面図である。図示されるように、本発明の箸は、一側の端部に本体部１より拡張された拡張把持部10を形成している。
【０００７】
本発明において、「拡張」とは、図１に示したように、本体部１の幅、好ましくは本体部の最大幅W1より大きい幅で形成されるとの意味である。即ち、上記拡張把持部10の最大幅W2と本体部の最大幅W1は、W2 ＞ W1の関係となるので、上記拡張把持部10によって食べ物を容易に把持することができるようになる。
【０００８】
図２及び図３は、拡張把持部の厚さを限定した本発明による箸の他の実施例を示した側断面図及び斜視図である。
図２に示されるように、箸本体部の最少厚さT3(即ち、拡張把持部10と本体部1の連結部の厚さ)より上記拡張把持部10の厚さT2を厚く形成することが食べ物の安定的な把持のために好ましい。さらに、上記拡張把持部10の厚さT2が箸本体部１の最大厚さT1より厚い場合には、拡張把持部10の重さや嵩が過度に大きくなって実用的でないようになる。よって、拡張把持部の厚さT２は、図２に示されるように、箸本体部と以下の式1のような厚さ関係を有することが好ましい。
T3≦T2≦T1・・・式１
【０００９】
図４及び図５は、拡張把持部の内側面が凹んだ状態にある本発明による箸のさらに他の実施例を示した斜視図及び側断面図である。
上記図面に示したように、拡張把持部の内側面は、図３のように、平坦にするか、図４のように、凹んで構成することができる。図３のように、把持部内側面11が平坦な場合には、例えば、豆のように比較的固い食べ物を把持するのに便利である。
【００１０】
一方、図４のように、拡張把持部10の内側面が凹んだ場合には、食べ物を拡張把持部10の凹んだ内側面11の間に位置させて把持することができるため、嵩が大きい食べ物の把持が容易であるばかりでなく、どんぐりむっくやゼリーのような半流動物も一旦把持されると容易に抜け出ることがないようになる。この際、上記拡張把持部10の凹んだ内側面11は緩やかな曲率を有する円弧形状の側断面形状を有することが好ましい(図５参照)。円弧の曲率を急にするよりは緩やかにする方が、食べ物と接する箸の把持面積を大きくすることができるので、多様な大きさの食べ物を把持するのにより便利となる。
【００１１】
上記種々な実施例において、拡張把持部10の形状は食べ物の把持を容易にできるという前提を満足するとすれば、円形、長方形、楕円形等如何なる形態にしても構わないが、食べ物の把持面積を大きくするという側面では、図１のように、長方形に近い円形が最も好ましい。
【００１２】
さらに、本発明の技術的思想を外れない範囲内で把持部10の厚さ、内側面11及び外側面12の形状を多様に変形させることにより、大きさや半流動性等の食べ物の特性に対応して使用することができる。例えば、図４の実施例のように、凹んだ内側面11を有する拡張把持部10の外側面12を上記図２のように、湾曲させることができる。この場合、上記外側面12を内側面11の凹んだ程度に対応して外側に湾曲させるようにすれば、拡張把持部12の厚さが過度になることを防止しながらも、凹んだ内側面11の間で食べ物を安定的に把持することができるようになる。勿論、この場合にも、上記式１のように、拡張把持部10の厚さを構成することにより、さらに一層容易で安定的に食べ物を把持することができる。
【図面の簡単な説明】
【００１３】
【図１】本発明による箸の一つの実施例を示した平面図。
【図２】拡張把持部の厚さを限定した本発明による箸の他の実施例を示した側断面図。
【図３】拡張把持部の厚さを限定した本発明による箸の他の実施例を示した斜視図。
【図４】拡張把持部の内側面の凹んだ状態にある本発明による箸のさらに他の実施例を示した斜視図。
【図５】同上の側断面図。
【符号の説明】
【００１４】
１  本体部
10  拡張把持部
11  把持部内側面
12  把持部外側面
W1  箸本体部の最大幅
W2  拡張把持部の最大幅
T1  箸本体部の最大厚さ
T3  箸本体部の最少厚さ
T2  拡張把持部の厚さ
【図１】
2005111262.tif 000003
【図２】
2005111262.tif 000004
【図３】
2005111262.tif 000005
【図４】
2005111262.tif 000006
【図５】
2005111262.tif 000007